【事件の表示】
　特願２００４−５１４３２５「ＩｎＧａＡｓイメージ増強カメラ」拒絶査定不服審判事件〔平成１５年１２月２４日国際公開、ＷＯ０３／１０７６４９、平成１７年１０月　６日国内公表、特表２００５−５３０４０８〕について、次のとおり審決する。
【結　論】
　本件審判の請求は、成り立たない。
【理　由】
１．手続きの経緯、本願発明
　本願は、平成１５年６月５日（パリ条約による優先権主張２００２年６月１２日、米国）を国際出願日とする出願であって、その特許請求の範囲の請求項１ないし１２に係る各発明は、その明細書、特許請求の範囲および図面の記載からみて、請求項１ないし１２にそれぞれ記載されたとおりのものであると認められるところ、請求項９に係る発明は次のとおりのものである。
「InGaAsタイプの光電陰極を有するイメージ増強管を使って所望の情景のイメージを生成するための方法であって、
　InGaAs光電陰極イメージ増強管を使って情景イメージを受光する工程と、
　InGaAs光電陰極イメージ増強管の出力スクリーンにより情景の初期表示画像を生成する工程と、
　初期表示画像をイメージ素子へ伝達する工程と、
　イメージ素子により初期表示画像を電子データストリームへ変換する工程と、
から成る方法。」
　
２．引用例
　これに対して、当審における拒絶の理由で引用した特開２００２−１１２１０９号公報（以下「引用例」という。）には、次のとおりの記載がなされている。
　
（ａ）【発明の属する技術分野】
　本発明は、暗視装置の画像信号処理システムに係わり、特に、警備、監視、野生生物観察、移動体操縦支援、高速現象観察、など暗所または高速シャッタによる暗視野の可視化を目的とする暗視装置の画像処理方式に関する。（段落【０００１】）
　
（ｂ）【従来の技術】
　可視光線のほとんどない状態を視覚で観測するための装置として暗視装置がある。暗視装置には赤外線を感知して可視像に変換する暗視管を用いる方法と、極めて微弱な光を強力に増強する多段イメージ管を用いる方法がある。
　図５に後者の多段イメージ管を用いた暗視装置の構成図を、図６にその画像信号処理システムのブロック回路の構成を示す。この暗視装置は、入力側に設けられた光学系１と、輝度増倍するＩＩＴ（Ｉｍａｇｅ　Ｉｎｔｅｎｓｉｆｉｅｒ　Ｔｕｂｅ）２とその出力側内部に設けられたＭＣＰ（Ｍｉｃｒｏ　Ｃｈａｎｎｅｌ　Ｐｌａｔｅ）２ｃと、そのＩＩＴ２を自動輝度制御するＡＢＣ（Ａｕｔｏ　Ｂｒｉｇｈｔｎｅｓｓ　Ｃｏｎｔｒｏｌ）制御部７と、後段のＭＣＰ２ｃの二次電子増倍を制御するＭＣＰ制御部６と、ＡＢＣ制御部７とＭＣＰ制御部６の制御電圧を発生する制御電圧発生部５と、ＩＩＴ２の出力像を光学系１ａを介して検出するＣＣＤ（Ｃｈａｒｇｅ　Ｃｏｕｐｌｅｄ　Ｄｅｖｉｃｅ）３と、そのＣＣＤ３からの信号を処理する信号処理部４とから構成されている。
　そして、この暗視装置は、被写体からの微弱な光が、光学系１のレンズを通してＩＩＴ２の光電面２ａに結像され、陰極の光電面２ａからその光の強弱に応じて光電子が放出し、陽極に印加された加速電圧と電子レンズ系２ｂによって出力面側に設けられたＭＣＰ２ｃの入力面側（−側）に結像して入力される。
　ＭＣＰ２ｃは、ガラス細管を束ねたもので、ＭＣＰ２ｃの両面に電圧をかけると、電子が細管を通る時、ガラス管壁の二次電子放出面と衝突を繰り返して二次電子が増倍され、最後に蛍光面２ｄに衝突して高輝度に増倍された明るい可視光像になる。
　そして、蛍光面２ｄの明るい可視光像は光学系１ａのレンズを通してＣＣＤ３上に結像し、光電変換される。
　ＣＣＤ３は、入射光により生じた電荷を、半導体中に作られたポテンシャル井戸にたくわえ、外部から転送電圧を加えポテンシャル井戸を逐次動かすことにより、その電荷を半導体表面に沿って転送していく素子で、センサと走査部を一体とした固体撮像素子である。
　そして、ＣＣＤ３の電荷は順次読み出され、複合ＴＶ信号に変換されて、信号処理部４から画像検出信号として出力され、モニタ上に表示される。
　一方、上記のＩＩＴ２の出力信号は、ＣＣＤ３、信号処理部４を介して制御電圧発生部５に出力され、その出力信号によって制御電圧発生部５が、ＡＢＣ制御部７、及びＭＣＰ制御部６を制御し、ＩＩＴ２の陰極と陽極間の加速電圧、及びＭＣＰ２ｃの両面に印加する電圧を制御して、暗画像から比較的明るい画像にわたって、検出画像の明るさが略一定になるように自動制御され、輝度倍率を所定の輝度になるように帰還制御する。（段落【０００２】）
　
　引用例の上記各記載を参酌すると、引用例には、
「入力側に設けられた光学系１と、輝度増倍するＩＩＴ（Ｉｍａｇｅ　Ｉｎｔｅｎｓｉｆｉｅｒ　Ｔｕｂｅ）２とその出力側内部に設けられたＭＣＰ（Ｍｉｃｒｏ　Ｃｈａｎｎｅｌ　Ｐｌａｔｅ）２ｃと、そのＩＩＴ２を自動輝度制御するＡＢＣ（Ａｕｔｏ　Ｂｒｉｇｈｔｎｅｓｓ　Ｃｏｎｔｒｏｌ）制御部７と、後段のＭＣＰ２ｃの二次電子増倍を制御するＭＣＰ制御部６と、ＡＢＣ制御部７とＭＣＰ制御部６の制御電圧を発生する制御電圧発生部５と、ＩＩＴ２の出力像を光学系１ａを介して検出するＣＣＤ（Ｃｈａｒｇｅ　Ｃｏｕｐｌｅｄ　Ｄｅｖｉｃｅ）３と、そのＣＣＤ３からの信号を処理する信号処理部４とから構成されているＩＩＴを用いた暗視装置において、
　被写体からの微弱な光が、光学系１のレンズを通してＩＩＴ２の光電面２ａに結像され、陰極の光電面２ａからその光の強弱に応じて光電子が放出し、陽極に印加された加速電圧と電子レンズ系２ｂによって出力面側に設けられたＭＣＰ２ｃの入力面側に結像して入力され、
　ＭＣＰ２ｃにおいて、電子が細管を通る時、ガラス管壁の二次電子放出面と衝突を繰り返して二次電子が増倍され、最後に蛍光面２ｄに衝突して高輝度に増倍された明るい可視光像になり、
　そして、蛍光面２ｄの明るい可視光像は光学系１ａのレンズを通してＣＣＤ３上に結像し、光電変換され、そして、ＣＣＤ３の電荷は順次読み出され、複合ＴＶ信号に変換されて、信号処理部４から画像検出信号として出力され、モニタ上に表示する方法。」
の発明が開示されているものと認められる。
　
３．対比
　本願の請求項９に係る発明（以下「本願発明」という。）と引用例に記載された発明（以下「引用発明」という。）とを対比すると次のことが認められる。
　
（イ）InGaAsタイプの光電陰極を有するイメージ増強管を使って所望の情景のイメージを生成するための方法
　
　引用発明は、ＩＩＴ（Ｉｍａｇｅ　Ｉｎｔｅｎｓｉｆｉｅｒ　Ｔｕｂｅ）２を用いた暗視装置において、被写体からの微弱な光が、光学系１のレンズを通してＩＩＴ２の陰極の光電面２ａに結像され、ＩＩＴ２の蛍光面２ｄで輝度が増倍された可視光像が取り出され、この可視光像は光学系１ａのレンズを通してＣＣＤ３上に結像し、光電変換され、複合ＴＶ信号に変換されて、信号処理部４から画像検出信号として出力され、モニタ上に表示するものであり、引用発明の上記ＩＩＴ（Ｉｍａｇｅ　Ｉｎｔｅｎｓｉｆｉｅｒ　Ｔｕｂｅ）２、画像検出信号が、それぞれ、本願発明の「光電陰極を有するイメージ増強管」、「所望の情景のイメージ」に対応することから、引用発明と本願発明とは、いずれも「光電陰極を有するイメージ増強管を使って所望の情景のイメージを生成するための方法」に係るものといえる。
　もっとも、本願発明では、光電陰極を有するイメージ増強管が、InGaAsタイプの光電陰極を有するイメージ増強管であるのに対し、引用発明では、そのようなタイプの光電陰極を有するイメージ増強管とはしていない点で相違する。
　
（ロ）InGaAs光電陰極イメージ増強管を使って情景イメージを受光する工程　
　引用発明は、ＩＩＴ（Ｉｍａｇｅ　Ｉｎｔｅｎｓｉｆｉｅｒ　Ｔｕｂｅ）２を用いた暗視装置において、被写体からの微弱な光が、光学系１のレンズを通してＩＩＴ２の光電面２ａに結像されており、ＩＩＴ（Ｉｍａｇｅ　Ｉｎｔｅｎｓｉｆｉｅｒ　Ｔｕｂｅ）２が、本願発明の「光電陰極を有するイメージ増強管」に対応することから、引用発明と本願発明とは、いずれも「光電陰極イメージ増強管を使って情景イメージを受光する工程」を有しているといえる。
　もっとも、本願発明では、光電陰極イメージ増強管が、InGaAs光電陰極イメージ増強管であるのに対し、引用発明では、そのような光電陰極イメージ増強管とはしていない点で相違する。
　
（ハ）InGaAs光電陰極イメージ増強管の出力スクリーンにより情景の初期表示画像を生成する工程
　
　引用発明は、ＩＩＴ（Ｉｍａｇｅ　Ｉｎｔｅｎｓｉｆｉｅｒ　Ｔｕｂｅ）２を用いた暗視装置において、被写体からの微弱な光が、光学系１のレンズを通してＩＩＴ２の陰極の光電面２ａに結像され、ＩＩＴ２の蛍光面２ｄで輝度が増倍された可視光像が取り出されるものであり、引用発明のＩＩＴ（Ｉｍａｇｅ　Ｉｎｔｅｎｓｉｆｉｅｒ　Ｔｕｂｅ）２、ＩＩＴ２の蛍光面２ｄ、輝度が増倍された可視光像が、それぞれ、本願発明の「光電陰極を有するイメージ増強管」、「出力スクリーン」、「情景の初期表示画像」に対応することは明らかであることから、引用発明と本願発明とは、いずれも「光電陰極イメージ増強管の出力スクリーンにより情景の初期表示画像を生成する工程」有しているといえる。
　もっとも、本願発明では、光電陰極イメージ増強管が、InGaAs光電陰極イメージ増強管であるのに対し、引用発明では、そのような光電陰極イメージ増強管とはしていない点で相違する。
　
（ニ）初期表示画像をイメージ素子へ伝達する工程
　
　引用発明は、ＩＩＴ（Ｉｍａｇｅ　Ｉｎｔｅｎｓｉｆｉｅｒ　Ｔｕｂｅ）２を用いた暗視装置において、ＩＩＴ２の蛍光面２ｄで輝度が増倍された可視光像が取り出され、この可視光像は光学系１ａのレンズを通してＣＣＤ３上に結像するものであり、引用発明の輝度が増倍された可視光像、ＣＣＤ３が、それぞれ、本願発明の「初期表示画像」、「イメージ素子」に対応するものといえることから、引用発明と本願発明とは、いずれも「初期表示画像をイメージ素子へ伝達する工程」を有しているといえる。
　
（ホ）イメージ素子により初期表示画像を電子データストリームへ変換する工程
　
　引用発明は、ＩＩＴ（Ｉｍａｇｅ　Ｉｎｔｅｎｓｉｆｉｅｒ　Ｔｕｂｅ）２を用いた暗視装置において、蛍光面２ｄで取り出された可視光像は光学系１ａのレンズを通してＣＣＤ３上に結像し、光電変換され、複合ＴＶ信号に変換されて、信号処理部４から画像検出信号として出力されるものであり、上記複合ＴＶ信号は、可視光像（本願発明でいう「初期表示画像」）をＣＣＤ３（本願発明でいう「イメージ素子」）により変換した信号であることは明らかであり、また、電子データストリームといえることから、引用発明は本願発明と同様に、「イメージ素子により初期表示画像を電子データストリームへ変換する工程」を有しているといえる。
　
　以上の対比結果によれば、本願発明と引用発明との一致点、相違点は次のとおりであると認めることができる。
［一致点］
　両者は、いずれも
「光電陰極を有するイメージ増強管を使って所望の情景のイメージを生成するための方法であって、
　光電陰極イメージ増強管を使って情景イメージを受光する工程と、
　光電陰極イメージ増強管の出力スクリーンにより情景の初期表示画像を生成する工程と、
　初期表示画像をイメージ素子へ伝達する工程と、
　イメージ素子により初期表示画像を電子データストリームへ変換する工程と、
から成る方法。」である点で一致する。
　
［相違点］
　光電陰極を有するイメージ増強管、光電陰極イメージ増強管が、本願発明では、InGaAsタイプの光電陰極を有するイメージ増強管、InGaAs光電陰極イメージ増強管であるのに対し、引用発明では、そのようなイメージ増強管とはしていない点。
　
４．判断
　そこで上記相違点について検討する。
　暗視装置等に用いられる光電陰極を有するイメージ増強管において、光電陰極としてInGaAsタイプの光電陰極、InGaAs光電陰極を用いる構成は、当審における拒絶の理由で引用した特開平５−２６６８５７号公報（例えば、【００３０】段落等参照）、同じく当審における拒絶の理由で引用した国際公開０１／５６０５５号パンフレット（例えば、６頁２９行ないし７頁８行等参照）等に開示されるように周知の事項であり、このような周知の事項を、暗視装置に係る方法として変わりがない引用発明における光電陰極を有するイメージ増強管（光電陰極イメージ増強管）に適用して、光電陰極として、InGaAsタイプの光電陰極、InGaAs光電陰極を用いる構成のイメージ増強管とすることは、当業者が容易に想到し得たものであるといえる。
　
　また、本願発明の効果についてみても、上記相違点に係る構成の採用に伴って当業者が当然に予測し得る程度のものにすぎず、格別顕著なものがあるとはいえない。
　
　したがって、本願発明は、引用例及び周知の事項に基づいて、当業者が容易に発明をすることができたものである。
　
５．むすび
　以上のとおり、請求項９に係る本願発明は、引用例に記載された発明及び周知の事項に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　よって、結論のとおり審決する。